(57)【要約】【課題】  茎葉を中途部分で引き千切ることなく引き抜くことができ、しかも引抜きロールの表面が濡れても茎葉をしっかりと挟むことができ、茎葉の引抜き精度を向上させることができる茎葉処理機を提供する。【解決手段】  弾性体で形成されていて左右方向で密接された一対の引抜きロール１８を備え、畝Ｒで栽培された作物Ｐの茎葉Ｓを左右の引抜きロール１８間で挟持し且つ左右各引抜きロール１８を該引抜きロール１８の密接側において上動するように回転駆動させることにより茎葉を引き抜くようにした茎葉処理機において、前記左右引抜きロール１８の表面側の茎葉挟持部分に多数の突起３３を設ける。【選択図】図１２
2008228619.tif 000002
【特許請求の範囲】
【請求項１】
弾性体で形成されていて左右方向で密接された一対の引抜きロール（１８）を備え、畝（Ｒ）で栽培された作物（Ｐ）の茎葉（Ｓ）を左右の引抜きロール（１８）間で挟持し且つ左右各引抜きロール（１８）を該引抜きロール（１８）の密接側において上動するように回転駆動させることにより茎葉を引き抜くようにした茎葉処理機において、
前記左右引抜きロール（１８）の表面側の茎葉挟持部分に多数の突起（３３）を設けたことを特徴とする茎葉処理機。
【請求項２】
引抜きロール（１８）は、中空状のロール本体（３４）と、このロール本体（３４）に被せられた弾性カバー（３６）とから構成され、弾性カバー（３６）に突起（３３）が設けられていることを特徴とする請求項１に記載の茎葉処理機。
【請求項３】
弾性カバー（３６）がロール本体（３４）に締まり嵌め状態で外嵌固定されていることを特徴とする請求項２に記載の茎葉処理機。
【請求項４】
ロール本体（３４）内の空気を抜いた状態で弾性カバー（３６）をロール本体（３４）に被せ、該状態でロール本体（３４）内に空気を充填して弾性カバー（３６）を伸張させることにより該弾性カバー（３６）がロール本体（３４）に取付固定されていることを特徴とする請求項２又は３に記載の茎葉処理機。
【発明の詳細な説明】
【技術分野】
【０００１】
本発明は、圃場で栽培されたジャガイモ等の作物の塊茎を収穫する前に、該作物の茎葉を除去処理する茎葉処理機に関するものである。
【背景技術】
【０００２】
従来、畝で栽培されたジャガイモの塊茎（以下、単にイモという）を収穫する前にジャガイモの茎葉の除去処理を行うのに使用される茎葉処理機があり、該茎葉処理機は、茎葉を細断する茎葉細断装置と、この茎葉細断装置の後方に配置された左右一対の引抜きロールとを備えており、トラクタ等の走行体の後部に装着可能に構成されている（特許文献１参照）。
この茎葉処理機によって茎葉を除去するには、該茎葉処理機を畝の長手方向に沿って移動させながら茎葉細断装置によって茎葉を根本側の一部を残して細断し、残った根本側の茎葉を左右一対の引抜きロールで挟持し且つ左右各引抜きロールを、該引抜きロールの対向側において上動するように高速で回転駆動させる。
【０００３】
すると、畝にイモを残したまま茎葉が引き抜かれる。
【特許文献１】特開２００４−１９４５９４号公報
【発明の開示】
【発明が解決しようとする課題】
【０００４】
前記従来の茎葉処理機にあっては、引抜きロールはゴム製ではあるが内部に空気が入っており表面が硬く平滑状であるので、一対の引抜きロール間で茎葉を挟持して引き抜くときに該茎葉が挟まれた部分で過度に押し潰されて引き千切られ、茎葉の引抜きミスが生じる場合がある。
また、茎葉を左右の引抜きロールで挟持してイモから引き抜くようにしたものにあっては、茎葉を左右の引抜きロールで挟んだときに茎が潰れ、この潰れた茎から出る汁によって引抜きロールの表面が濡れるが、引抜きロールが濡れると、引抜きロールの表面が平滑状である場合、滑りが発生し易く、茎葉の引抜きミスが生じる場合がある。
【０００５】
そこで、本発明は、前記問題点に鑑みて、茎葉を中途部分で引き千切ることなく引き抜くことができ、しかも引抜きロールの表面が濡れても茎葉をしっかりと挟むことができる茎葉処理機を提供することを目的とする。
【課題を解決するための手段】
【０００６】
前記技術的課題を解決するために本発明が講じた技術的手段は、弾性体で形成されていて左右方向で密接された一対の引抜きロールを備え、畝で栽培された作物の茎葉を左右の引抜きロール間で挟持し且つ左右各引抜きロールを該引抜きロールの密接側において上動するように回転駆動させることにより茎葉を引き抜くようにした茎葉処理機において、
前記左右引抜きロールの表面側の茎葉挟持部分に多数の突起を設けたことを特徴とする。
また、引抜きロールは、中空状のロール本体と、このロール本体に被せられた弾性カバーとから構成され、弾性カバーに突起が設けられているのがよい。
【０００７】
また、弾性カバーがロール本体に締まり嵌め状態で外嵌固定されているのがよく、具体的には、ロール本体内の空気を抜いた状態で弾性カバーをロール本体に被せ、該状態でロール本体内に空気を充填して弾性カバーを伸張させることにより該弾性カバーがロール本体に取付固定される。
【発明の効果】
【０００８】
本発明によれば、引抜きロールの表面側に多数の突起を設けることにより、引抜きロール間で茎葉を挟持する際に、茎を過度に押し潰すことなく挟むことができるので、該茎葉を中途部分で引き千切ることがないと共に、多数の突起によって茎葉をしっかりと挟むことができるので、抜きロールが濡れても滑りが発生し難く、茎葉を確実に引き抜くことができ、茎葉の引抜き精度が向上する。
【発明を実施するための最良の形態】
【０００９】
以下、本発明の実施の形態を図面を参照して説明する。
図２〜図５において、１はジャガイモ等の作物Ｐの塊茎Ｔ（イモ）を収穫する（掘り取る）前に、その茎葉Ｓを除去処理するのに使用される茎葉処理機であり、この茎葉処理機１は、トラクタ等の走行体の後部に装着されて畝に沿って圃場を移動しながら茎葉Ｓの除去処理をする。
この茎葉処理機１は、前部の茎葉細断装置２と、後部の茎葉引抜き装置３とから主構成され、茎葉引抜き装置３はイモＴを畝Ｒに残したまま茎葉Ｓを引き抜くものであり、茎葉細断装置２は茎葉Ｓを引き抜く前に該茎葉Ｓの余分な部分を細断処理（粉砕処理）するものである。
【００１０】
本実施の形態における茎葉処理機１は、２畝対応の茎葉細断装置２の後方に、１畝対応の茎葉引抜き装置３を左右一対備えていて、畝Ｒの長手方向に沿って移動しながら２畝を同時に（一工程で）処理するように構成されている。
なお、１畝のみ又は３畝以上を処理するようにしたものであってもよい。
茎葉細断装置２は、トラクタの後部に三点リンク機構を介して昇降自在で且つ着脱自在に装着される装置フレーム４と、この装置フレーム４に支持されていて茎葉Ｓを細断する細断部５と、ゲージ輪６とを有する。
【００１１】
装置フレーム４の前部には、三点リンク機構のトップリンクの後端側に取り付けられる上部のトップリンク取付部７と、三点リンク機構の左右ロワーリンクの後端側に取り付けられる下部の左右ロワーリンク取付部８とを備えている。
ゲージ輪６は装置フレーム４の後端側の左右両側に設けられていて畝Ｒ間の溝を転動し、装置フレーム４の後部を支持して細断部５を所定高さに保持する。
このゲージ輪６は装置フレーム４に対して上下位置調整自在に取り付けられており、ゲージ輪６の装置フレーム４に対する上下位置を変えることにより細断部５の高さが調整自在とされている。
【００１２】
細断部５は、図２及び図６に示すように、左右方向の軸心を有する前後一対の回転軸９と、前後の各回転軸９に取り付けられた細断刃１０とから構成されている。
前後各回転軸９に設けられた細断刃１０は、回転軸９に固定されたブラケットに左右軸回りに回転自在に取り付けられたフレール刃等によって構成されている。
前側の回転軸９は後側の回転軸９よりも上位に配置されており、前側の回転軸９に設けられた細断刃１０によって畝Ｒの上方側の茎葉Ｓを根本側の一部を残して細断し、後側の回転軸９に設けられた細断刃１０によって畝Ｒの左右両側の茎葉Ｓが細断されるように、前後の回転軸９に対して細断刃１０が配置されている。
【００１３】
細断部５の上方及び左右両側は装置フレーム４に設けられたカバー部材１１によって覆われている。
装置フレーム４の前端側の左右方向中央部には、トラクタのＰＴＯ軸にユニバーサルジョイントを介して連動連結される入力軸１２が設けられ、この入力軸１２に伝達されるＰＴＯ軸からの動力は、ギヤケース１３内の動力伝達機構、ギヤケース１３から左方に突設された筒体１４内の伝動軸、筒体１４の左端側に連結された伝動ケース１５内の動力伝達機構等を経て前後の回転軸９に伝達され、該伝達された動力によって前後の回転軸９が図２の矢示Ａ方向に回転駆動されて細断された茎葉Ｓが前方側に飛ばされるように構成されている。
【００１４】
また、入力軸１２に伝達された動力は、装置フレーム４の前部に設けられた動力伝達装置１６によって左右に分岐され、この左右に分岐された動力は、伝動軸１７を介して後方の左右の各茎葉引抜き装置３へと送られる。
左右各茎葉引抜き装置３は、茎葉細断装置２によって細断されて残った根本側の茎葉Ｓを挟持して引き抜く左右一対の引抜きロール１８と、この左右引抜きロール１８の前側近傍に配置されていて細断後の残った茎葉Ｓを畝Ｒの左右方向（幅方向）中央側へと掻き寄せる（掻き集める）掻寄手段１９と、引抜きロール１８の後方に配置されていて引抜きロール１８の高さ調整をするゲージ輪２０と、左右の引抜きロール１８で吹き上げれられた土を引き抜かれた茎葉Ｓと一緒に引抜きロール１８の後方で且つゲージ輪２０の前側に案内するガイド手段２１と、これら引抜きロール１８，掻寄手段１９，ゲージ輪２０，ガイド手段２１を支持する装置フレーム２２とを有する。
【００１５】
掻寄手段１９及び引抜きロール１８は、前記入力軸１２から前記伝動軸１７を介して伝達される動力によって駆動される。
左右各茎葉引抜き装置３の装置フレーム２２は茎葉細断装置２の装置フレーム４の後部に、上下一対のリンクからなる昇降リンク機構２３を介して上下動自在に支持されている。
掻寄手段１９は、細断されずに残った茎葉Ｓを畝Ｒの左右方向中央側に掻き寄せることで該茎葉Ｓが左右の引抜きロール１８間に進入し易いようにするものであり、左右一対の掻寄せベルト２４と、この掻寄せベルト２４を駆動する図示省略の駆動機構とを備えている。
【００１６】
左右の掻寄せベルト２４は、ゴム等の弾性体によって構成され、エンドレスのベルト本体の外周に弾性変形可能な突起（タイン）を周方向に間隔をおいて設けてなり、左右の掻寄せベルト２４を対向側において下側から上側に移動するように周方向に循環回走させることにより、細断されずに残った茎葉Ｓがタインによって畝Ｒの左右方向中央側に掻き寄せられるよう構成されている。
ゲージ輪２０は、前端側が装置フレーム２２に左右軸回りに回動自在に支持された左右一対の支持アーム２５の後部間に配置されていて、該左右支持アーム２５に左右軸回りに回転自在に支持されており、支持アーム２５をその前端側の枢支部２６を支点として上下に揺動させることによりゲージ輪２０が上下動可能とされている。
【００１７】
前記左右各支持アーム２５の長さ方向中途部には連結部材２７の一端側が枢支連結され、左右各連結部材２７の他端側はそれぞれレバー部材２８に枢支連結され、左右各レバー部材２８の下端側は左右方向の支軸２９によって連結されていると共に該支軸２９の軸心回りに回動自在に装置フレーム２２に支持されており、一方のレバー部材２８は、該レバー部材２８の先端側と装置フレーム２２との間に介装された伸縮自在な高さ調整機構３０によって下端側の前記支軸２９回りに揺動操作可能とされ、レバー部材２８を揺動操作することによりゲージ輪２０の装置フレーム２２に対する上下位置が調整可能とされている。
【００１８】
また、ゲージ輪２０は、本実施の形態では、図７に示すように、左右の輪体３１間に架け渡されたゴム板材からなる筒部材３２の左右方向中央側をゴム製又は布製の平ベルトによって絞めることにより、畝Ｒの形状に略沿うように正面視鼓状に形成されていて、引抜きロール１８の後方の畝Ｒ上を転動して、装置フレーム２２の後部を支持すると共に茎葉Ｓを引き抜いた後の畝Ｒを上から押さえる。
左右の引抜きロール１８は、図８、図９、図１２に示すように、側面視で楕円球状に形成され、表面に多数の突起３３を備えている。
【００１９】
この左右各引抜きロール１８は、本実施の形態では、ゴム様弾性体から前後開口状の筒状（中空状）に形成されたロール本体３４と、このロール本体３４が取り付けられる芯体３５と、前記ロール本体３４に被せられていて該ロール本体３４に締まり嵌め状態で外嵌固定されたゴム様弾性体からなる弾性カバー３６と、この弾性カバー３６の表面に設けられたゴム様弾性体からなる前記多数の突起３３とから主構成されている。
芯体３５は、有底円筒状の前後の取付部３７Ｆ，３７Ｒと、この前後の取付部３７Ｆ，３７Ｒを連結する筒部３８と、この筒部３８の後端側に連結された軸嵌合部３９とから主構成され、ロール本体３４内に挿入されている。
【００２０】
ロール本体３４は、その前後端部側が芯体３５の前後の取付部３７Ｆ，３７Ｒに金属製等のバンド等によって締付け固定されることにより芯体３５に取り付けられると共にロール本体３４の前後端部の開口部が芯体３５の前後の取付部３７Ｆ，３７Ｒによって閉塞されている。
芯体３５の後側の取付部３７Ｒには、バルブが取り付けられる空気流通孔４０が形成され、そして、バルブを介して空気流通孔４０からロール本体３４内に圧縮空気を充填して該ロール本体３４を膨らませることにより該ロール本体３４が楕円球状を呈する。
【００２１】
弾性カバー３６は、前後開口状の筒状に形成されていて、ロール本体３４内から空気を抜いた状態で該ロール本体３４に被せられ、ロール本体３４に弾性カバー３６を被せた状態でロール本体３４内に空気を充填してロール本体３４を膨らませると、該弾性カバー３６が伸張し、該弾性カバー３６が収縮しようとする力によって該弾性カバー３６がロール本体３４に密着状に取付固定されている。
この弾性カバー３６の前端側は、ロール本体３４の前端側と共に芯体３５の前側の取付部３７に締め付け固定される。
【００２２】
前記突起３３は、本実施の形態では、該突起３３を一体形成したゴム板４１を弾性カバー３６に貼り付けることにより弾性カバー３６の表面に設けられている（なお、突起３３は弾性カバー３６に直接一体形成されていてもよいし、ロール本体３４の表面に一体形成してもよい）。
また、突起３３は、弾性カバー３６（ロール本体３４）からの突出方向の基端側が截頭円錐状で先端側が円柱状に形成され、ロール本体３４の前後方向（軸方向）中途部の前後方向所定範囲（少なくとも茎葉挟持部分）に、ロール本体３４の周方向全周に亘って設けられている。
【００２３】
また、突起３３は、一方の引抜きロール１８の突起３３の円柱部分が他方の引抜きロール１８の突起３３の円柱部分間に挿入される程度の間隔をおいて設けられている。
芯体３５の筒部３８には前方側から回転支軸４２が挿入され、該回転支軸４２に芯体３５が取付固定されると共に、回転支軸４２の後端側が芯体３５の軸嵌合部３９にスプライン嵌合（又はキー結合等）によって連結されていて、引抜きロール１８は回転支軸４２と一体回転する。
回転支軸４２は、その前端側が装置フレーム２２に設けられた軸支持体４３に軸心回りに回転自在に支持され、前記入力軸１２から前記伝動軸１７を介して伝達される動力によって回転駆動される。
【００２４】
左右の引抜きロール１８は、左右方向において相互に押しつけられて密接状として配置され、且つ該引抜きロール１８の対向側（密接側）において上動（下側から上側に移動）するように高速で回転駆動される（図１２の矢示Ｃ方向に回転駆動される）。
この茎葉引抜き装置３にあっては、掻寄手段１９及び左右の引抜きロール１８を駆動させて、茎葉処理機１を畝Ｒの長手方向に沿って前進させることにより、茎葉細断装置２で細断されずに残った茎葉Ｓが掻寄手段１９によって掻寄せられると共に引き起こされ、この掻き寄せられた茎葉Ｓが左右の引抜きロール１８の合わせ目に相対的に進入し、該茎葉Ｓが左右の引抜きロール１８間で挟持されて上方に引っ張られ、これにより、畝ＲにイモＴを残したまま茎葉Ｓが引き抜かれるように構成されている。
【００２５】
また、左右の引抜きロール１８は、前上がり傾斜状（回転軸心が前方に行くに従って上方に移行する傾斜状）として畝Ｒに接して配置されており、畝Ｒの土は左右の引抜きロール１８間に掻き込まれて引き抜かれた茎葉Ｓと共に後上方に吹き上げられるように構成されており、また、この吹き上げられた土及び茎葉Ｓは、ガイド手段２１によって引抜きロール１８後方で且つゲージ輪２０の前側の畝Ｒの中央側に案内され、茎葉Ｓを引き抜いた後のイモＴを被覆してイモＴの露出を防ぐように構成されている。
前記構成の引抜きロール１８にあっては、引抜きロール１８の表面側に多数の突起３３が設けられていることにより、引抜きロール１８間で茎葉Ｓを挟持する際に茎を過度に押し潰すことなく挟むことができるので、該茎葉Ｓが中途部分で引き千切られることがない。
【００２６】
また、多数の突起３３によって茎葉Ｓをしっかりと挟むことができるので、潰れた茎から出る汁等によって引抜きロール１８が濡れても滑りが発生し難く、茎葉Ｓを確実に引き抜くことができる。
前記突起３３によって、茎葉Ｓの引抜きミスを防止でき、引抜き精度を向上させることができる。
また、潰れた茎から出る汁は、突起３３間を通して下方に抜ける。
なお、突起３３は図例のものに限定されることはなく、引抜きロール１８間で茎葉Ｓを挟持する際に茎を過度に押し潰さないこと、茎が潰れて発生する汁が下方に抜けることを満たせば、板状等のように引抜きロール１８表面に沿う方向にある程度の長さを有する突起３３であってもよい。
【００２７】
また、ロール本体３４に被せられた弾性カバー３６に突起３３を設けることで、突起３３が損傷又は摩耗したときに、引抜きロール１８全体を交換しなくても弾性カバー３６を取り替えるだけでよく経済的である。
また、ロール本体３４内の空気を抜いた状態で弾性カバー３６をロール本体３４に被せ、該状態でロール本体３４内に空気を充填して弾性カバー３６を伸張させることにより該弾性カバー３６がロール本体３４に取付固定されるよう構成されているので、弾性カバー３６の装着が容易であると共にロール本体３４から空気を抜けば弾性カバー３６の取外しが容易に行え、突起３３が損傷又は摩耗したときの弾性カバー３６の交換が簡単に行える。
【００２８】
ガイド手段２１は、図１に示すように、引抜きロール１８で吹き上げられた土を受けて引抜きロール１８の後方側で且つゲージ輪２０の前側の畝Ｒ上面に案内する土寄せガイド４４と、引抜きロール１８で吹き上げられた土を土寄せガイド４４に案内するガイドシュート４５とから構成されている。
土寄せガイド４４はゲージ輪２０の上部側に配置されてゲージ輪２０を支持する支持アーム２５に取り付けられた取付部材４６に取り付けられており、したがって、土寄せガイド４４はゲージ輪２０との相対位置が変わらずゲージ輪２０と一体的に動くように設けられている。
【００２９】
また、ガイドシュート４５は引抜きロール１８の上方に配置されて装置フレーム２２に取り付けられており、したがって、ガイドシュート４５は引抜きロール１８との相対位置が変わらないように設けられている。
土寄せガイド４４が取り付けられる取付部材４６は、ゲージ輪２０の上部側の左右両側に縦向き（実施形態では後傾状）に配置された左右の側杆部４７と、ゲージ輪２０の上方に左右方向に配置されていて左右の側杆部４７の上端同志を連結する取付杆部４８とから構成され、左右の側杆部４７の下端側が、左右方向で同じ側にある支持アーム２５の後端側に固定のブラケット４９にボルト固定されている。
【００３０】
土寄せガイド４４は、図１、図７、図１０、１１に示すように、板材によってゲージ輪２０の左右幅と略同じ左右幅に形成されており、中央壁部５０と、該中央壁部５０の左右側縁から左右方向外方に向けて斜め上方側に延びる左右壁部５１とからゲージ輪２０に沿った形状に形成されていて、ゲージ輪２０の上面側に近接配置されている。
また、この土寄せガイド４４は前下がり状とされて配置されていて中央壁部５０が前方に向かうに従って下方に移行する傾斜状とされており、この土寄せガイド４４の中央壁部５０の上端側には下方に開放状のフック状に形成された被取付部５２が設けられ、この被取付部５２が取付部材４６の取付杆部４８に引っ掛けられて該取付杆部４８にボルト・ナット等からなる固定具を用いて取付固定されることにより、土寄せガイド４４が取付部材４６に前下がり傾斜状に取り付けられている。
【００３１】
また、土寄せガイド４４の中央壁部５０の左右幅は、下方に向かうに従って漸次幅狭となるように形成されていると共に、該中央壁部５０の下端側はゲージ輪２０の上部側の左右方向中央部の前端側に位置している。
したがって、この土寄せガイド４４は、引抜ロールで吹き上げられてガイドシュート４５によって案内される土及び茎葉Ｓを比較的広い範囲で受けると共に、該受け止めた土及び茎葉Ｓは、下方に向けて滑り落ちながら左右方向中央に集められ、イモＴが露出し易い畝Ｒの左右方向中央部に集中的に落下する。
【００３２】
ガイドシュート４５は、左右引抜きロール１８の左右幅よりも広い左右幅で且つ土寄せガイド４４及びゲージ輪２０と略同じ左右幅に形成され、左右の側壁５３と前壁５４と上壁５５とから形成されていて下方及び後方に開放状とされており、背面開口の上部側が引抜きロール１８で吹き上げられた土及び茎葉Ｓを土寄せガイド４４へと送り出す土送出口５６とされている。
前壁５４は上方に向かうに従って後方に移行する傾斜状とされており、この前壁５４上端と上壁５５前端とのコーナー部分５７は前上方に向けて凸となる側面視円弧状に形成されており、前壁５４と上壁前部側部分５５ａとがコーナー部分５７から、該コーナー部分５７の円弧の接線方向に延出されている。
【００３３】
前壁５４の下端側には切欠き開口５８が形成され、この切欠き開口５８は引抜きロール１８が正常に動いているか否か（引抜きロール１８に茎葉Ｓがつまっていないかどうか）オペレータが前方側から（トラクタ側）から確認（監視）するための作動点検窓とされている。
また、上壁５５は、その前部側部分５５ａ及び後部側部分５５ｂが後方に向かうに従って下方に移行する傾斜状とされ、且つ上下方向に対して前部側部分５５ａが緩傾斜で後部側部分５５ｂが急傾斜となるように前後方向中途部で屈曲されている。
【００３４】
なお、上壁５５の前部側部分５５ａは水平状とされていてもよい。
また、上壁５５の後部側部分５５ｂは、土送出口５６から送り出される土及び茎葉Ｓを土寄せガイド４４の上部側の広い部分に案内すべく該土寄せガイド４４の上部側に向けて指向している。
前記構成のガイドシュート４５にあっては、引抜きロール１８によって吹き上げられた土及び茎葉Ｓは、前壁５４及びコーナー部分５７の内面に沿って後方側へと移動して上壁前部側部分５５ａに案内され、上壁前部側部分５５ａから上壁後部側部分５５ｂへと移動して土送出口５６から送り出されて土寄せガイド４４上へと落下する。
【００３５】
このとき、コーナー部分５７及び上壁前部側部分５５ａに沿って移動する土及び茎葉Ｓの移動方向に対して上壁後部側部分５５ｂが交差する形で形成されているので、土及び茎葉Ｓは上壁前部側部分５５ａから上壁後部側部分５５ｂへと移動する過程で移動方向の勢いが減少して土寄せガイド４４へと送出するのに適した速度に失速し、他に飛び散ることなく土寄せガイド４４上に確実に載る。
すなわち、吹き上げられた土及び茎葉Ｓを自然落下によって土寄せガイド４４に落とすとすると土及び茎葉Ｓが広範囲に散らばる傾向となり、勢いよく土寄せガイド４４に衝当させると当たった土等が飛び散ることとなるが、本実施の形態では、ガイドシュート４５の上壁５５の後部側部分５５ｂが、引抜きロール１８によって吹き上げられてガイドシュート４５の上壁５５内面側に沿って土送出口５６へと移動する土の速度を適度に落として土寄せガイド４４に落下させるガイド部とされているので、ガイドシュート４５から送り出される土及び茎葉Ｓを確実に土寄せガイド４４上に載せることができる。
【００３６】
前記茎葉処理機１にあっては、引抜きロール１８で吹き上げられた土及び茎葉Ｓをゲージ輪２０の前側に落とすと、ゲージ輪２０の高さが上がって引抜きロール１８の高さも上がることとなるので、作業開始前に、このゲージ輪２０の前側に落とされる土及び茎葉Ｓの量を考慮してゲージ輪２０の高さを設定し、少し試運転をして微調整する。
【図面の簡単な説明】
【００３７】
【図１】引抜きロール、ガイドシュート及び土寄せガイドの配置関係を示す側面一部断面図である。
【図２】茎葉処理機の側面図である。
【図３】茎葉処理機の平面図である。
【図４】茎葉処理機の正面図である。
【図５】茎葉処理機の背面図である。
【図６】細断部の平面図である。
【図７】ゲージ輪、土寄せガイド及びガイドシュートの配置関係を示す背面図である。
【図８】引抜きロールの側面図である。
【図９】引抜きロールの側面断面図である。
【図１０】土寄せガイドの正面図である。
【図１１】（ａ）は土寄せガイドの側面図、（ｂ）は図１０のＢ−Ｂ線矢示断面である。
【図１２】引抜きロールの茎葉引抜き状態を示す正面図である。
【符号の説明】
【００３８】
１８    引抜きロール
２０    ゲージ輪
２２    装置フレーム
３３    突起
３４    ロール本体
３６    弾性カバー
４４    土寄せガイド
４５    ガイドシュート
５０    中央壁部
５１    左右壁部
５５    上壁
５５ｂ  上壁後側部分（ガイド部）
５６    土送出口
Ｐ    ジャガイモ（作物）
Ｒ    畝
Ｓ    茎葉
【図１】
2008228619.tif 000003
【図２】
2008228619.tif 000004
【図３】
2008228619.tif 000005
【図４】
2008228619.tif 000006
【図５】
2008228619.tif 000007
【図６】
2008228619.tif 000008
【図７】
2008228619.tif 000009
【図８】
2008228619.tif 000010
【図９】
2008228619.tif 000011
【図１０】
2008228619.tif 000012
【図１１】
2008228619.tif 000013
【図１２】
2008228619.tif 000014